(57)【要約】  【課題】  書き換え可能な光ディスクに対して情報の記録や再生ができなくなるのを未然に防ぐことができる機能を有する光ディスク記録再生装置を提供する。  【解決手段】  情報を書き換えたい光ディスクを装填すると、光ディスク上のＲＭＡのブロックのエラーレートが測定され、前記エラーレートが基準値よりも大きいと判定された場合に、警告がディスプレイ装置に表示される。これにより、ユーザが記録動作の操作を行わなければ、書き換え可能な光ディスクに対して情報の記録や再生ができなくなるのを未然に防ぐことができる。【選択図】      図５
2006302386.tif 000002
【特許請求の範囲】
【請求項１】
光ディスクに対して情報の記録／再生を行う光ディスク記録再生装置において、書き換
え可能な光ディスクが装填され、記録系コマンドが発行された後、光ディスクの記録管理
領域のエラーレートを測定するエラーレート測定手段と、前記測定されたエラーレートが
基準値よりも大きいか否かを判定するエラーレート判定手段と、前記エラーレートが基準
値よりも大きいということが前記エラーレート判定手段により判定された場合に、警告を
ディスプレイ装置あるいは本体装置の表示部に表示させたり、または／およびスピーカで
音声出力させたりする警告出力手段と、この警告出力手段により警告が出力された後、ユ
ーザの操作により記録動作の継続が選択されたか否かを判定する記録動作継続選択判定手
段と、記録動作の継続が選択されたということが前記記録動作継続選択判定手段により判
定された場合に、当該光ディスクが記録不可や再生不可になる畏れがあっても記録動作の
継続を行っても良いかの確認のメッセージをディスプレイ装置あるいは本体装置の表示部
に表示させたり、または／およびスピーカで音声出力させたりする確認メッセージ出力手
段と、前記確認メッセージがディスプレイ装置あるいは本体装置の表示部に表示された後
、または／およびスピーカで音声出力された後、ユーザによる記録動作の継続の操作がさ
れたか否かを判定する記録動作継続操作判定手段と、前記エラーレート判定手段により前
記エラーレートが基準値よりも大きくないと判定された場合、あるいは前記記録動作継続
操作判定手段によりユーザによる記録動作の継続の操作がされたと判定された場合に、記
録動作を開始させる記録動作開始手段と、前記記憶動作が開始して記録が失敗した場合に
、エラー表示を前記ディスプレイ装置あるいは前記本体装置の表示部に表示させるエラー
表示手段とを有するシステムコントローラを備えたことを特徴とする光ディスク記録再生
装置。
【請求項２】
光ディスクに対して情報の記録／再生を行う光ディスク記録再生装置において、書き換
え可能な光ディスクが装填され、記録系コマンドが発行された後、光ディスクの記録管理
領域のエラーレートを測定して、この測定されたエラーレートが基準値よりも大きい場合
に、ユーザに警告を出すように制御を行うシステムコントローラを備えたことを特徴とす
る光ディスク記録再生装置。
【請求項３】
前記システムコントローラは、書き換え可能な光ディスクが装填され、記録系コマンド
が発行された後、光ディスクの記録管理領域のエラーレートを測定するエラーレート測定
手段と、前記測定されたエラーレートが基準値よりも大きいか否かを判定するエラーレー
ト判定手段と、前記エラーレートが基準値よりも大きいということが前記エラーレート判
定手段により判定された場合に、警告をディスプレイ装置あるいは本体装置の表示部に表
示させたり、または／およびスピーカで音声出力させたりする警告出力手段と、この警告
出力手段により警告が出力された後、ユーザの操作により記録動作継続の操作がされたか
否かを判定する記録動作継続操作判定手段と、前記エラーレート判定手段により前記エラ
ーレートが基準値よりも大きくないと判定された場合、あるいは前記記録動作継続操作判
定手段によりユーザによる記録動作の継続の操作がされたと判定された場合に、記録動作
を開始させる記録動作開始手段と、前記記憶動作が開始して記録が失敗した場合に、エラ
ー表示を前記ディスプレイ装置あるいは前記本体装置の表示部に表示させるエラー表示手
段とを有することを特徴とする請求項２に記載の光ディスク記録再生装置。
【請求項４】
前記システムコントローラは、警告が出力された後、ユーザの操作により記録動作の継
続が選択されたか否かを判定する記録動作継続選択判定手段と、記録動作の継続が選択さ
れたということが前記記録動作継続選択判定手段により判定された場合に、当該光ディス
クが記録不可や再生不可になる畏れがあっても記録動作の継続を行っても良いかの確認の
メッセージをディスプレイ装置あるいは本体装置の表示部に表示させたり、または／およ
びスピーカで音声出力させたりする確認メッセージ出力手段とを有することを特徴とする
請求項３に記載の光ディスク記録再生装置。
【発明の詳細な説明】
【技術分野】
【０００１】
本発明は、光ディスクに対して情報の記録／再生を行う光ディスク記録再生装置に関し
、特に、書き換え可能な光ディスクに対する記録動作開始前の処理に関する。
【背景技術】
【０００２】
近年、映画等のような大量の映像音声データなどの情報を記録することができる光ディ
スクであるＤＶＤ（デジタル・バーサタイル・ディスク）が普及しつつある。ＤＶＤの種
類としては、メーカ側で情報が記録され、ユーザ側では書き換えができないＤＶＤ−ＲＯ
ＭタイプのＤＶＤ、ユーザ側で情報を１回だけ記録できるＤＶＤ−ＲタイプのＤＶＤ、ユ
ーザ側で書き換え可能なＤＶＤ−ＲＷ（ＤＶＤ−ＲＡＭ）タイプのＤＶＤなどが知られて
いる。これらのＤＶＤに記録された情報は、ＤＶＤプレイヤ（光ディスク再生装置）また
はＤＶＤレコーダ（光ディスク記録再生装置）で再生可能であり、ＤＶＤ−ＲタイプのＤ
ＶＤやＤＶＤ−ＲＷ（ＤＶＤ−ＲＡＭ）タイプのＤＶＤなどへの情報の記録は、ＤＶＤレ
コーダで可能である。以下、このようなタイプの光ディスクのうち、ＤＶＤ−ＲＷタイプ
の光ディスクに対する記録処理について説明する。
【０００３】
図６はＤＶＤ−ＲＷタイプの光ディスクにおけるＲＭＡのフォーマットの構成図である
。図６に示すようにＤＶＤ−ＲＷタイプの光ディスクには、記録時のレーザパワーを最適
化するためにテストデータを記録するテスト領域であるＰＣＡ（Power Calibration Area
）、記録管理領域であるＲＭＡ（Recording Management Area）、リードイン領域、およ
びデータ領域が存在し、ＲＭＡには、ＲＭＡリードインとＲＭＤ（Recording Management
Data）が記録される。ＲＭＡリードインには、ドライブ製造者ＩＤやシリアル番号、デ
ィスクＩＤなどを含む。また、ＲＭＤは、ＯＰＣ（Optimum Power Control）関連情報や
データ領域情報、記録モード情報などを含む。ＲＭＤは、セット１〜セット２８までの２
８個のセットで構成され、各セットは５個のブロックから構成される。
【０００４】
各ブロックは、連結損失領域およびフィールド０〜フィールド１４を含む。各ブロック
の大きさは３２ＫＢであり、フィールド０〜フィールド１４にはＤＶＤ−ＲＷのモード（
インクリメンタル・モード、ディスク・アットワンス・モード、オーバライト・モード）
に応じて異なる情報が記録される。例えば、追記モードでありデータを順次追加記録でき
、データの記録が完了したときに、その情報をＲＭＡに記録する前記インクリメンタル・
モードにおいては、フィールド０に共通情報、フィールド１にＯＰＣ情報やＲＭＤセット
のポインタ情報、フィールド２にユーザ指定データや消去操作情報が記録される。その消
去操作情報とは、消去位置や消去回数を示す情報である。
【特許文献１】特開２００４−２０６８０３号公報
【特許文献２】特開２００３−１７８５３６号公報
【特許文献３】特開２００１−２９７５１６号公報
【発明の開示】
【発明が解決しようとする課題】
【０００５】
ところで、ＤＶＤ−ＲＷタイプのような書き換え可能な光ディスクでは、何回も情報の
書き換えを繰り返しているうちに、ＰＣＡ、ＲＭＡ、リードイン領域、データ領域などの
記録領域が劣化して行き、書き換えができなくなって行く。それらの記録領域の中でも、
ＲＭＡが劣化した状態で、書き換えを行って、ＲＭＡが破壊されてしまうと、書き換えを
行う前からデータ領域に記録されているデータも読み出すことが不可能になる。
【０００６】
そこで、書き換え可能な光ディスクに対して書き換えを行う前に、ＲＭＡの劣化状態を
前もってユーザが知ることができれば、記録や再生ができなくなるのを未然に防ぐことが
できるようになるが、従来の光ディスク記録再生装置では、そのような対策が施されてい
なかった。
【０００７】
なお、特許文献１の従来技術では、光ディスクのテスト領域（ＰＣＡ）にテストデータ
を記録し、そのテストデータを再生して得られる再生信号の品質に基づき記録時のレーザ
パワーを設定しているが、書き換え可能な光ディスクに対して書き換えを行う前のＲＭＡ
の劣化状態を前もってユーザが知ることができないので、記録や再生ができなくなるのを
未然に防ぐことができない。
【０００８】
特許文献２の従来技術では、記録メディアがローディングされたとき、その記録メディ
アのファイル構造をチェックし、記録領域毎にデータエラー等の異常度を算出して異常度
を表示し、その異常度に応じて、その記録メディアの録画、再生などの機能を制限してい
るが、この従来技術も、書き換え可能な光ディスクに対して書き換えを行う前のＲＭＡの
劣化状態をユーザに知らせるものではない。
【０００９】
特許文献３の従来技術では、ディスクから読み取ったデータに含まれる各種ディスク情
報を信号処理回路から取得してメモリ部に記憶し、バックエンドＣＰＵは、このメモリ部
に記憶された最大エラーレート、面振れ値、偏心値などのディスク情報をフロントエンド
ＣＰＵから取得して、フロントパネルに表示するようにしているが、この従来技術も、書
き換え可能な光ディスクに対して書き換えを行う前のＲＭＡの劣化状態をユーザに知らせ
るものではない。
【００１０】
本発明は、上記のような課題を解決するためになされたもので、書き換え可能な光ディ
スクに対して情報の記録や再生ができなくなるのを未然に防ぐことができる機能を有する
光ディスク記録再生装置を提供することを目的とする。
【課題を解決するための手段】
【００１１】
上記目的を達成するために、請求項１の発明は、光ディスクに対して情報の記録／再生
を行う光ディスク記録再生装置において、書き換え可能な光ディスクが装填され、記録系
コマンドが発行された後、光ディスクの記録管理領域のエラーレートを測定するエラーレ
ート測定手段と、前記測定されたエラーレートが基準値よりも大きいか否かを判定するエ
ラーレート判定手段と、前記エラーレートが基準値よりも大きいということが前記エラー
レート判定手段により判定された場合に、警告をディスプレイ装置あるいは本体装置の表
示部に表示させたり、または／およびスピーカで音声出力させたりする警告出力手段と、
この警告出力手段により警告が出力された後、ユーザの操作により記録動作の継続が選択
されたか否かを判定する記録動作継続選択判定手段と、記録動作の継続が選択されたとい
うことが前記記録動作継続選択判定手段により判定された場合に、当該光ディスクが記録
不可や再生不可になる畏れがあっても記録動作の継続を行っても良いかの確認のメッセー
ジをディスプレイ装置あるいは本体装置の表示部に表示させたり、または／およびスピー
カで音声出力させたりする確認メッセージ出力手段と、前記確認メッセージが前記ディス
プレイ装置あるいは本体装置の表示部に表示された後、または／およびスピーカで音声出
力された後、ユーザによる記録動作の継続の操作がされたか否かを判定する記録動作継続
操作判定手段と、前記エラーレート判定手段により前記エラーレートが基準値よりも大き
くないと判定された場合、あるいは前記記録動作継続操作判定手段によりユーザによる記
録動作の継続の操作がされたと判定された場合に、記録動作を開始させる記録動作開始手
段と、前記記憶動作が開始して記録が失敗した場合に、エラー表示を前記ディスプレイ装
置あるいは本体装置の表示部に表示させるエラー表示手段とを有するシステムコントロー
ラを備えたことを特徴とする光ディスク記録再生装置を提供する。
【００１２】
この構成において、情報を書き換えたい光ディスクを装填すると、光ディスクの記録管
理領域のエラーレートがエラーレート測定手段により測定され、前記エラーレートが基準
値よりも大きいということがエラーレート判定手段により判定された場合に、警告出力手
段により、警告がディスプレイ装置あるいは本体装置の表示部に表示されたり、または／
およびスピーカで音声出力されたりする。
【００１３】
ここで、記録動作の継続が選択されたというが記録動作継続選択判定手段により判定さ
れると、例えば、「光ディスクが記録不可や再生不可になる畏れがあっても記録動作を継
続しますか」という確認メッセージが、確認メッセージ出力手段により、ディスプレイ装
置あるいは本体装置の表示部に表示されたり、または／およびスピーカで音声出力された
りする。そして、ユーザが、その確認メッセージを確認してからでも記録動作を継続させ
る操作をした場合は、ユーザによる記録動作の継続の操作がされたということが記録動作
継続操作判定手段により判定され、これにより、記録動作が記録動作開始手段により開始
される。
【００１４】
警告が出力された後、記録動作継続が選択されなかった場合は、記録動作継続が選択さ
れなかったということが記録動作継続選択判定手段により判定され、これにより、この書
き換え可能な光ディスクに対する記録動作開始前の処理が行われず、記録動作は終了する
。また、確認のメッセージが出力された後、ユーザが記録動作継続の操作されない場合で
、記録動作停止の操作がされた時も、この書き換え可能な光ディスクに対する記録動作開
始前の処理が行われず、記録動作は終了する。
【００１５】
エラーレート判定手段により前記エラーレートが基準値よりも大きくないと判定された
場合、あるいは記録動作継続操作判定手段によりユーザによる記録動作の継続の操作がさ
れたと判定された場合には、記録動作開始手段は、この光ディスクに対する記録動作を開
始させる。そして、記憶動作が開始して記録が失敗した場合には、この光ディスクには情
報が記録できないことを示すエラー表示が、エラー表示手段により、ディスプレイ装置あ
るいは本体装置の表示部に行われる。
【００１６】
この構成によれば、書き換え可能な光ディスクに対して記録動作開始前に記録管理領域
のエラーレートを測定して、この測定結果が悪かった場合は、ユーザに警告を出すように
したので、書き換え可能な光ディスクに対して情報の記録や再生ができなくなるのを未然
に防ぐことができる。また、ユーザは、現時点の劣化状態の光ディスクでも、確認メッセ
ージで納得して、記録動作の継続を行って、未だ書き換えできる程度の劣化状態であれば
、書き換えすることができるので、光ディスクを有効利用することも可能になる。
【００１７】
請求項２の発明は、光ディスクに対して情報の記録／再生を行う光ディスク記録再生装
置において、書き換え可能な光ディスクが装填され、記録系コマンドが発行された後、光
ディスクの記録管理領域のエラーレートを測定して、この測定されたエラーレートが基準
値よりも大きい場合に、ユーザに警告を出すように制御を行うシステムコントローラを備
えたことを特徴とする光ディスク記録再生装置を提供する。
【００１８】
この構成において、書き換え可能な光ディスクが装填され、記録系コマンドが発行され
た後、光ディスクの記録管理領域のエラーレートが測定され、この測定されたエラーレー
トが基準値よりも大きい場合には、警告が出される。
【００１９】
この構成によれば、書き換え可能な光ディスクに対して記録動作開始前に記録管理領域
のエラーレートを測定して、この測定結果が悪かった場合は、ユーザに警告を出すように
したので、書き換え可能な光ディスクに対して情報の記録や再生ができなくなるのを未然
に防ぐことができる。
【００２０】
請求項３の発明では、請求項２の発明において、前記システムコントローラは、書き換
え可能な光ディスクが装填され、記録系コマンドが発行された後、光ディスクの記録管理
領域のエラーレートを測定するエラーレート測定手段と、前記測定されたエラーレートが
基準値よりも大きいか否かを判定するエラーレート判定手段と、前記エラーレートが基準
値よりも大きいということが前記エラーレート判定手段により判定された場合に、警告を
ディスプレイ装置あるいは本体装置の表示部に表示させたり、または／およびスピーカで
音声出力させたりする警告出力手段と、この警告出力手段により警告が出力された後、ユ
ーザの操作により記録動作継続の操作がされたか否かを判定する記録動作継続操作判定手
段と、前記エラーレート判定手段により前記エラーレートが基準値よりも大きくないと判
定された場合、あるいは前記記録動作継続操作判定手段によりユーザによる記録動作の継
続の操作がされたと判定された場合に、記録動作を開始させる記録動作開始手段と、前記
記憶動作が開始して記録が失敗した場合に、エラー表示を前記ディスプレイ装置あるいは
本体装置の表示部に表示させるエラー表示手段とを有する。
【００２１】
したがって、前記システムコントローラは、エラーレート測定処理、エラーレート判定
処理、警告出力処理、記録動作継続操作判定処理、記録動作開始処理、およびエラー表示
処理を実現でき、特に、書き換え可能な光ディスクに対して記録動作開始前に記録管理領
域のエラーレートの測定結果が悪かった場合は、警告を出すことができる。
【００２２】
請求項４の発明では、請求項３の発明において、前記システムコントローラは、警告が
出力された後、ユーザの操作により記録動作の継続が選択されたか否かを判定する記録動
作継続選択判定手段と、記録動作の継続が選択されたということが前記記録動作継続選択
判定手段により判定された場合に、当該光ディスクが記録不可や再生不可になる畏れがあ
っても記録動作の継続を行っても良いかの確認のメッセージをディスプレイ装置あるいは
本体装置の表示部に表示させたり、または／およびスピーカで音声出力させたりする確認
メッセージ出力手段とを有する。
【００２３】
したがって、前記システムコントローラは、記録動作継続選択判定処理および確認メッ
セージ表示処理を実現でき、これにより、ユーザは、現時点の劣化状態の光ディスクでも
、記録動作の継続を行った場合、この光ディスクが記録不可や再生不可になっても納得す
ることができるので、この光ディスクに以前記録されている情報が再生できなくなっても
良い場合は、記録動作の継続を行っても良く、未だ書き換えできる程度の劣化状態であれ
ば、書き換えすることができ、光ディスクを有効利用することも可能になる。
【発明の効果】
【００２４】
以上のように本発明によれば、書き換え可能な光ディスクが装填され、記録系コマンド
が発行された後、光ディスクの記録管理領域のエラーレートを測定するエラーレート測定
手段と、前記測定されたエラーレートが基準値よりも大きいか否かを判定するエラーレー
ト判定手段と、前記エラーレートが基準値よりも大きいということが前記エラーレート判
定手段により判定された場合に、警告をディスプレイ装置あるいは本体装置の表示部に表
示させたり、または／およびスピーカで音声出力させたりする警告出力手段と、この警告
出力手段により警告が出力された後、ユーザの操作により記録動作の継続が選択されたか
否かを判定する記録動作継続選択判定手段と、記録動作の継続が選択されたということが
前記記録動作継続選択判定手段により判定された場合に、当該光ディスクが記録不可や再
生不可になる畏れがあっても記録動作の継続を行っても良いかの確認のメッセージを前記
ディスプレイ装置あるいは本体装置の表示部に表示させたり、または／およびスピーカで
音声出力させたりする確認メッセージ出力手段と、前記確認メッセージが前記ディスプレ
イ装置あるいは本体装置の表示部に表示された後、ユーザによる記録動作の継続の操作が
されたか否かを判定する記録動作継続操作判定手段と、前記エラーレート判定手段により
前記エラーレートが基準値よりも大きくないと判定された場合、あるいは前記記録動作継
続操作判定手段によりユーザによる記録動作の継続の操作がされたと判定された場合に、
記録動作を開始させる記録動作開始手段と、前記記憶動作が開始して記録が失敗した場合
に、エラー表示を前記ディスプレイ装置あるいは本体装置の表示部に表示させるエラー表
示手段とを有するシステムコントローラを備えたので、書き換え可能な光ディスクに対し
て記録動作開始前に記録管理領域のエラーレートを測定して、この測定結果が悪かった場
合は、ユーザに警告を出すことができ、これにより、書き換え可能な光ディスクに対して
情報の記録や再生ができなくなるのを未然に防ぐことができる。また、ユーザは、現時点
の劣化状態の光ディスクでも、確認メッセージで納得して、記録動作の継続を行って、未
だ書き換えできる程度の劣化状態であれば、書き換えすることができるので、光ディスク
を有効利用することも可能になる。
【００２５】
また、本発明によれば、書き換え可能な光ディスクが装填され、記録系コマンドが発行
された後、光ディスクの記録管理領域のエラーレートを測定して、この測定されたエラー
レートが基準値よりも大きい場合に、ユーザに警告を出すように制御を行うシステムコン
トローラを備えたので、書き換え可能な光ディスクに対して記録動作開始前に記録管理領
域のエラーレートを測定して、この測定結果が悪かった場合は、ユーザに警告を出すこと
ができ、これにより、書き換え可能な光ディスクに対して情報の記録や再生ができなくな
るのを未然に防ぐことができる。
【発明を実施するための最良の形態】
【００２６】
以下、添付図面を参照しつつ、本発明の実施の形態について説明する。図１は本発明の
一実施形態に係る光ディスク記録再生装置の構成を示すブロック図である。
【００２７】
この光ディスク記録再生装置は、光ディスク１を回転させるスピンドルモータ５と、光
ディスク１に対して情報を記録／再生するためのレーザ光を出射すると共に光ディスク１
からの反射光を受光する光ピックアップ２と、この光ピックアップ２を光ディスク１の半
径方向に移動させるためのスレッド３と、システムコントローラ２２の指示に応じてスピ
ンドルモータ５およびスレッド３を駆動すると共に光ピックアップ２に内蔵された対物レ
ンズ（図示せず）を動かすことによりレーザ光の焦点位置を光ディスク１の記録面に対し
て垂直方向および水平方向に移動させる制御を行うサーボ制御部４とを備えている。
【００２８】
また、この光ディスク記録再生装置は、光ディスク１の再生時に光ピックアップ２から
の読取信号であるＲＦ信号を増幅するＲＦアンプ６と、このＲＦアンプ６から出力された
ＲＦ信号をデジタルデータに変換した後に光ディスク１のデータフォーマットに応じた信
号復調処理と誤り訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００２９】
また、この光ディスク記録再生装置は、ストリーム分離部９から出力されたオーディオ
データを入力して所定のデコード処理を行うオーディオデコーダ１１と、このオーディオ
デコーダ１１でのデコード処理を行うためにデータを一時的に格納するＲＡＭ１０と、ス
トリーム分離部９から出力されたサブピクチャデータを入力して所定のデコード処理を行
うサブピクチャデコーダ１３と、このサブピクチャデコーダ１３でのデコード処理を行う
ためにデータを一時的に格納するＲＡＭ１２と、ストリーム分離部９から出力されたビデ
オデータを入力して所定のデコード処理を行うビデオデコーダ１５と、このビデオデコー
ダ１５でのデコード処理を行うためにデータを一時的に格納するＲＡＭ１４とを備えてい
る。
【００３０】
また、この光ディスク記録再生装置は、システムコントローラ２２の指示に応じてビデ
オデコーダ１５から出力されたデータとサブピクチャデコーダ１３から出力されたデータ
とを合成するビデオプロセッサ１７と、このビデオプロセッサ１７から出力された合成デ
ータを表示用のビデオ信号に変換して画像をディスプレイ装置２０に表示させるビデオエ
ンコーダ１８と、オーディオデコーダ１１から出力されたデータをアナログのオーディオ
信号に変換して例えばスピーカ１９に供給するＤ／Ａ変換器１６とを備えている。
【００３１】
また、この光ディスク記録再生装置は、装置全体を制御する前記システムコントローラ
２２と、このシステムコントローラ２２に対して記録指示を与えるための記録キー、再生
指示を与えるための再生キー、記録や再生の停止指示を与えるための停止キーなど、各種
操作キーを有するリモコン２１と、リモコン２１や図示しない本体操作部の操作内容や、
装置の動作モードなどを表示する本体装置の表示部２８と、装置の各構成要素を制御した
り、装置全体を制御したりするためのプログラムやデータが記憶されたフラッシュＲＯＭ
２３と、このフラッシュＲＯＭ２３のプログラムやデータに従って演算処理を行いシステ
ムコントローラ２２を制御するＣＰＵ２４と、このＣＰＵ２４の演算処理に必要なデータ
を一時的に格納するＲＡＭ２７とを備えている。
【００３２】
また、この光ディスク記録再生装置は、図示しないテレビジョン受信機やパーソナルコ
ンピュータなどから送られてきた映像音声データを光ディスク１に記録するために変調を
かける記録データ変調回路２５と、この記録データ変調回路２５により変調された変調デ
ータに基づいて光ピックアップ２から出射するレーザ光を変調させるためのレーザ変調信
号を光ピックアップ２に出力するレーザ変調回路２６とを備えている。
【００３３】
システムコントローラ２２は、本実施形態の特徴とする構成要素として、書き換え可能
な光ディスク１が装填され、記録系コマンドが発行された後、光ディスク１の記録管理領
域のエラーレートを測定するエラーレート測定手段２２１と、前記測定されたエラーレー
トが基準値よりも大きいか否かを判定するエラーレート判定手段２２２と、前記エラーレ
ートが基準値よりも大きいということが前記エラーレート判定手段２２１により判定され
た場合に、警告をディスプレイ装置２０あるいは本体装置の表示部２８に表示させたり、
または／およびスピーカ２０で音声出力させたりする警告出力手段２２３と、この警告出
力手段２２３により警告が出力された後、ユーザの操作により記録動作の継続が選択され
たか否かを判定する記録動作継続選択判定手段２２４とを有する。
【００３４】
また、システムコントローラ２２は、記録動作の継続が選択されたということが記録動
作継続選択判定手段２２４により判定された場合に、当該光ディスク１が記録不可や再生
不可になる畏れがあっても記録動作の継続を行っても良いかの確認のメッセージを前記デ
ィスプレイ装置あるいは本体装置の表示部に表示させたり、または／およびスピーカ２０
で音声出力させたりする確認メッセージ出力手段２２５と、前記確認メッセージがディス
プレイ装置２０あるいは本体装置の表示部２８に表示された後、または／およびスピーカ
１９で音声出力された後、ユーザによる記録動作の継続の操作がされたか否かを判定する
記録動作継続操作判定手段２２６と、前記エラーレート判定手段２２２により前記エラー
レートが基準値よりも大きくないと判定された場合、あるいは前記記録動作継続操作判定
手段２２６によりユーザによる記録動作の継続の操作がされたと判定された場合に、記録
動作を開始させる記録動作開始手段２２７と、前記記憶動作が開始して記録が失敗した場
合に、エラー表示を前記ディスプレイ装置あるいは本体装置の表示部に表示させるエラー
表示手段２２８とを有する。
【００３５】
図２は本実施形態においてシステムコントローラ２２の警告出力手段２２３の処理によ
りディスプレイ装置２０または本体装置の表示部２８に表示される警告メッセージの一例
を示す図である。図３は本実施形態においてシステムコントローラ２２の確認メッセージ
出力手段２２５の処理によりディスプレイ装置２０または本体装置の表示部２８に表示さ
れる確認メッセージの一例を示す図である。図４は本実施形態においてシステムコントロ
ーラ２２のエラー表示手段２２８の処理によりディスプレイ装置２０または本体装置の表
示部２８に表示されるエラーメッセージの一例を示す図である。
【００３６】
図５は本実施形態の光ディスク記録再生装置において書き換え可能な光ディスクに対す
る記録動作開始前の処理を説明するためのフローチャートである。このフローチャートお
よび図１から図４を参照して、この光ディスク記録再生装置において書き換え可能な光デ
ィスク（ＤＶＤ−ＲＷ）に対する記録動作開始前の処理を説明する。
【００３７】
情報を書き換えたい光ディスク（ＤＶＤ−ＲＷ）１を装填し、リモコン２１の記録キー
（ＲＥＣボタン）を押下すると、システムコントローラ２２は記録キーの押下を検出し（
ステップＳ１）、記録系コマンドをＣＰＵ２４に対して発行する（ステップＳ２）。次に
、システムコントローラ２２のエラーレート測定手段２２１は、光ディスク１上のＲＭＡ
のブロック（ＲＭＤブロック）のエラーレートを測定し（ステップＳ３）、この後、エラ
ーレート判定手段２２２は、前記測定されたエラーレートが基準値よりも大きいか否かを
判定する（ステップＳ４）。
【００３８】
前記ブロックのエラーレートが基準値よりも大きいということが前記エラーレート判定
手段２２２により判定された場合に、例えば、図２に示すような、「光ディスクが記録不
可や再生不可になる畏れがあります」という警告メッセージを、ディスプレイ装置２０あ
るいは本体装置の表示部２８に表示させたり、または／およびスピーカ１９で音声出力し
たりする（ステップＳ９）。この警告メッセージを見たり、あるいは警告メッセージを聞
いたりしたユーザが、リモコン２１を操作（例えば、記録動作継続を選択するか否かの画
面上の選択項目の記録動作継続をする方をカーソルで選択して決定する操作）して、記録
動作継続が選択されると、記録動作継続が選択されたということが記録動作継続選択判定
手段２２４により判定される（ステップＳ１０）。
【００３９】
そして、確認メッセージ出力手段２２５は、例えば、図３に示すような、「光ディスク
が記録不可や再生不可になる畏れがあっても記録動作を継続しますか」という確認メッセ
ージを、ディスプレイ装置２０あるいは本体装置の表示部２８に表示させたり、または／
およびスピーカ１９で音声出力させたりする（ステップＳ１１）。ユーザは、その確認メ
ッセージを確認してからでも記録動作を継続したい場合は、リモコン２１を操作して記録
動作の継続を指示すると、記録動作継続操作判定手段２２６は、ユーザによる記録動作の
継続の操作がされたと判定し（ステップＳ１２）、これにより、記録動作開始手段２２７
は記録動作を開始させる（ステップＳ５）。
【００４０】
ステップＳ９において、警告メッセージが出力された後、ユーザはリモコン２１を操作
（例えば、記録動作継続を選択するか否かの表示画面上の選択項目の記録動作継続をしな
い方をカーソルで選択して決定する操作）して、記録動作継続が選択されなかった場合、
記録動作継続が選択されなかったということが記録動作継続選択判定手段２２４により判
定される（ステップＳ１０）。そして、リモコン２１により記録動作停止の操作がされた
時には（ステップＳ１３）、このＤＶＤ−ＲＷの光ディスク１に対する記録動作開始前の
処理が行われず、本処理は終了する。また、確認のメッセージが出力された後（ステップ
Ｓ１１）、ユーザが記録動作継続の操作されない場合で（ステップＳ１２）、リモコン２
１により記録動作停止の操作がされた時も（ステップＳ１３）、このＤＶＤ−ＲＷの光デ
ィスク１に対する記録動作開始前の処理が行われず、本処理は終了する。
【００４１】
エラーレート判定手段２２２により前記ブロックのエラーレートが基準値よりも大きく
ないと判定された場合（ステップＳ４）、あるいは記録動作継続操作判定手段２２６によ
りユーザによる記録動作の継続の操作がされたと判定された場合には（ステップＳ１２）
、記録動作開始手段２２７は光ディスク１に対する記録動作を開始させる（ステップＳ５
）。そして、記憶動作が開始して記録が失敗した場合には、エラー表示手段２２８は、こ
の光ディスク１には情報が記録できないことを示すエラー表示を、ディスプレイ装置２０
あるいは本体装置の表示部２８に行う。記録が失敗しなかった場合は（ステップＳ６）、
記録が最後まで終了すれば（ステップＳ８）、本処理は終了する。
【００４２】
以上説明したように本実施形態によれば、書き換え可能な光ディスクに対して記録動作
開始前に記録管理領域のエラーレートを測定して、この測定結果が悪かった場合は、ユー
ザに警告を出すことができ、これにより、書き換え可能な光ディスクに対して情報の記録
や再生ができなくなるのを未然に防ぐことができる。また、ユーザは、現時点の劣化状態
の光ディスクでも、確認メッセージで納得して、記録動作の継続を行って、未だ書き換え
できる程度の劣化状態であれば、書き換えすることができるので、光ディスクを有効利用
することも可能になる。
【図面の簡単な説明】
【００４３】
【図１】本発明の一実施形態に係る光ディスク記録再生装置の構成を示すブロック図である。
【図２】前記実施形態においてシステムコントローラの警告出力手段の処理によりディスプレイ装置または本体装置の表示部に表示される警告メッセージの一例を示す図である。
【図３】前記実施形態においてシステムコントローラの確認メッセージ出力手段の処理によりディスプレイ装置または本体装置の表示部に表示される確認メッセージの一例を示す図である。
【図４】前記実施形態においてシステムコントローラのエラー表示手段の処理によりディスプレイ装置または本体装置の表示部に表示されるエラーメッセージの一例を示す図である。
【図５】前記実施形態の光ディスク記録再生装置において書き換え可能な光ディスクに対する記録動作開始前の処理を説明するためのフローチャートである。
【図６】ＤＶＤ−ＲＷタイプの光ディスクにおけるＲＭＡのフォーマットの構成図である。
【符号の説明】
【００４４】
１    光ディスク
２０    ディスプレイ装置
２２    システムコントローラ
２８    本体装置の表示部
２２１    エラーレート測定手段
２２２    エラーレート判定手段
２２３    警告出力手段
２２４    記録動作継続選択判定手段
２２５    確認メッセージ出力手段
２２６    記録動作継続操作判定手段
２２７    記録動作開始手段
２２８    エラー表示手段
【図１】
2006302386.tif 000003
【図２】
2006302386.tif 000004
【図３】
2006302386.tif 000005
【図４】
2006302386.tif 000006
【図５】
2006302386.tif 000007
【図６】
2006302386.tif 000008